(57)【要約】【課題】一定の分析効果を長期間持続でき、尿をかけたときのみ尿中の過剰成分を簡単迅速に半定量的な定性分析を行うことができる尿検査用樹脂成形体を提供する。【解決手段】臨床検査薬３を含む水溶性樹脂２を球状に成形して、尿検査用樹脂成形体１を得る。水溶性樹脂２としては、天然水溶性樹脂、化学修飾型天然水溶性樹脂、合成水溶性樹脂を用いる。臨床検査薬３としては、尿のタンパク質の検査用のスルホサリチル酸や、尿のブドウ糖の検査用のベネディクト試薬などを用いる。尿がタンパク質又はブドウ糖を過剰に有していた場合、尿検査用樹脂成形体１は、尿に触れた箇所が変色し、使用者は尿の異常を発見可能である。【選択図】図１
2010019674.tif 000002
【特許請求の範囲】
【請求項１】
水溶性樹脂を主成分とし、
尿の臨床検査薬を含むことを特徴とする
尿検査用樹脂成形体。
【請求項２】
さらに、消臭剤を含むことを特徴とする請求項１に記載の尿検査用樹脂成形体。
【請求項３】
前記臨床検査薬がベネディクト試薬またはスルホサリチル酸であることを特徴とする請求項１または請求項２に記載の尿検査用樹脂成形体。
【請求項４】
請求項１ないし請求項３に記載の尿検査用樹脂成形体を便器に設置するステップと、
前記尿検査用樹脂成形体に放尿するステップと、
前記尿検査用樹脂成形体が、前記放尿により変色したか否かで前記尿の臨床検査を行うステップと、
を備えることを特徴とする尿の臨床検査方法。
【請求項５】
さらに、水を流すことで前記尿検査用樹脂成形体の表面を溶解させ、前記尿の成分を洗い流すステップと、
を備えることを特徴とする請求項４に記載の尿の臨床検査方法。
【請求項６】
請求項１ないし請求項３に記載の尿検査用樹脂成形体を水洗便所用の貯水タンク内に設置するステップと、
前記水洗便所の便器に放尿するステップと、
前記水洗便所内の溜まり水が変色したか否かで尿の臨床検査を行うステップと、
を備えることを特徴とする尿の臨床検査方法。
【請求項７】
さらに、水を流すことで前記溜まり水を除去し、前記尿の成分を含まない水を便器に溜めるステップと、
を備えることを特徴とする請求項６に記載の尿の臨床検査方法。
【発明の詳細な説明】
【技術分野】
【０００１】
本発明は、尿中の生体成分を簡単迅速に半定量的な定性反応により分析できる検査用樹脂成形体などに関するものである。
【背景技術】
【０００２】
従来、尿中の生体成分を簡単迅速に半定量的な定性反応によって分析できる臨床用試験紙を用いて、尿のｐＨ，タンパク質、ブドウ糖、ケトン体および潜血を試験することが行われていた。試料尿にはなるべく新鮮なものを用い、指示に従って、判定を行う。
【０００３】
一方、水溶性樹脂に多価アルコール脂肪酸エステルを含むことを特徴とする男子トイレ用固形消臭剤が記載されている（例えば、特許文献１参照）。また、水不溶性基材の上に、水溶性樹脂に固定化された生理活性物質を塗布した生理活性物質固定化シートが記載されている（例えば、特許文献２参照）。
【０００４】
【特許文献１】特開平７−１１６２３８号公報
【特許文献２】特開平７−１９１０３５号公報
【発明の開示】
【発明が解決しようとする課題】
【０００５】
しかしながら、試験紙を用いた尿の臨床検査は、判定が専門的であり、一般の消費者には困難であるという問題点があった。
【０００６】
本発明は、前述した問題点に鑑みてなされたもので、その目的とすることは、一定の分析効果を長期間持続でき、尿をかけたときのみ尿中の過剰成分を簡単迅速に半定量的な定性分析を行うことができる尿検査用樹脂成形体を提供することである。
【課題を解決するための手段】
【０００７】
前述した目的を達成するために、第１の発明は、水溶性樹脂を主成分とし、尿の臨床検査薬を含むことを特徴とする尿検査用樹脂成形体である。さらに、前記尿検査用樹脂成形体が消臭剤を含むことが好ましく、前記臨床検査薬がベネディクト試薬またはスルホサリチル酸であることが好ましい。
【０００８】
第２の発明は、前記尿検査用樹脂成形体を便器に設置するステップと、前記尿検査用樹脂成形体に放尿するステップと、前記尿検査用樹脂成形体が、前記放尿により変色したか否かで尿の臨床検査を行うステップと、を備えることを特徴とする尿の臨床検査方法である。さらに、水を流すことで前記尿検査用樹脂成形体の表面を溶解させ、前記尿の成分を洗い流すステップを備えることが好ましい。
【０００９】
第３の発明は、前記尿検査用樹脂成形体を水洗便所用の貯水タンク内に設置するステップと、前記水洗便所の便器に放尿するステップと、前記水洗便所内の溜まり水が変色したか否かで尿の臨床検査を行うステップと、を備えることを特徴とする尿の臨床検査方法である。さらに、水を流すことで前記溜まり水を除去し、前記尿の成分を含まない水を前記便器に溜めるステップを備えることが好ましい。
【発明の効果】
【００１０】
本発明により、一定の分析効果を長期間持続でき、尿をかけたときのみ尿中の過剰成分を簡単迅速に半定量的な定性分析を行うことができる尿検査用樹脂成形体を提供することができる。
【発明を実施するための最良の形態】
【００１１】
以下図面に基づいて、本発明の実施形態を詳細に説明する。
図１は、第１の実施形態に係る尿検査用樹脂成形体１を示す図である。尿検査用樹脂成形体１は、臨床検査薬３を含む水溶性樹脂２を球状に成形したものである。
【００１２】
水溶性樹脂２は、天然水溶性樹脂、化学修飾型天然水溶性樹脂、合成水溶性樹脂に大別される。天然水溶性樹脂の具体例としては、寒天、カラゲニン、トウモロコシデンプン、グアーガム、カラヤガム、トランガントガム、ローカストビーンガム、ジャガイモ・コメ・コムギデンプン、タピオカデンプン等を挙げることができる。化学修飾型天然水溶性樹脂の具体例としては、カチオン性デンプン、デキストラン、ヒドロキシアルキルデンプン、メチルセルロース、ナトリウムカルボキシメチルセルロース、ザンサンガム等を挙げることができる。合成水溶性樹脂の具体例としては、ポリビニールアルコール、ポリアクリルアミド、カチオン性樹脂、ポリアクリル酸とその誘導体、ポリエチレンオキサイド、ポリ‐Ｎ‐ビニル‐２‐ピロリドン、ビニルエーテル系ポリマー、スチレン‐無水マレイン酸共重合体、エチレン‐無水マレイン酸共重合体等を挙げることができる。
【００１３】
臨床検査薬３としては、スルホサリチル酸又はベネディクト試薬を用いる。
【００１４】
スルホサリチル酸は、尿のタンパク質の定性試験に利用する。尿のタンパク質が多くあると、白濁沈殿を生ずることで定性できる。水溶性樹脂２にスルホサリチル酸を均一混合して成形する。
【００１５】
尿のブドウ糖の定性試験にはベネディクト法を利用する。尿にブドウ糖が多くあると銅イオン（Ｃｕ２＋）が還元糖で還元されて、黄色から赤色になることで定性できる。水溶性樹脂２に硫酸銅（ＣｕＳＯ４）を均一混合して成形する。なお、図１において、作図の都合上、臨床検査薬３の水溶性樹脂２中の分布にばらつきが見られるが、実際は臨床検査薬３は水溶性樹脂２に均一に混合している。
【００１６】
尿検査用樹脂成形体１は、図１に示すような球形状だけでなく、円錐台、円錐、角錐台、角錐、円柱、角柱、球形、楕円形等の各種形状とすることができる。また、尿検査用樹脂成形体は、さまざまな方法により製造可能である。例えば、グラビア、フレキソ水性印刷インキの製造に一般的に使われているサンドミル、スーパーミル、ビーズミル、アトライター、ボールミル等を用いて製造する方法が安価で簡単な製造方法である。
【００１７】
続いて、尿検査用樹脂成形体１の使用方法を説明する。
まず、尿検査用樹脂成形体１を、便器に設置する。設置箇所としては、特に男子式水洗便所の排水口付近が考えられる。次に、検査するべき尿を尿検査用樹脂成形体１にかける。使用者が直接尿を便器に放尿することが好ましい。そうすると、尿の水分により、尿検査用樹脂成形体１の表面の水溶性樹脂２が溶解し、臨床検査薬３が尿中に放出される。尿中に臨床検査薬３が変色するのに十分な量のタンパク質などが含まれている場合、尿が変色し、使用者は、尿中に過剰なタンパク質などが含まれていることがわかり、臨床検査を行うことができる。次に、便器に水を流すことで、便器の尿と、尿の成分を含む尿検査用樹脂成形体１の表面が洗い流され、次の使用者が尿の臨床検査を行うことができる。
【００１８】
また、便器ではなく、水洗便所の貯水タンクにも、尿検査用樹脂成形体１を設置することが出来る。水洗便所としては、和式でも様式でも、溜まり水部を有する便器であれば、使用できる。まず、水洗便所の貯水タンクに尿検査用樹脂成形体１を設置する。尿検査用樹脂成形体１を、貯水タンク内の底部に置いてもよいし、網に入れてぶら下げてもよい。そうすると、貯水タンク内の水により、尿検査用樹脂成形体１の表面の水溶性樹脂２が溶解し、臨床検査薬３が水中に放出される。そのため、水洗便所の溜まり水部は、臨床検査薬３を含む水により満たされる。
【００１９】
次に、使用者は、水洗便所の便器に放尿をする。尿が水洗便所の溜まり水部に入り、臨床検査薬３を含む水と接触する。尿中に臨床検査薬３が変色するのに十分な量のタンパク質などが含まれている場合、尿が変色し、使用者は、尿中に過剰なタンパク質などが含まれていることがわかり、臨床検査を行うことができる。次に、水洗便所で水を流すことで、溜まり水部の尿は排出され、貯水タンクから、尿を含まない新しい臨床検査薬３を含む水が供給され、次の使用者が尿の臨床検査を行うことができる。
【００２０】
第１の実施形態によれば、尿検査用樹脂成形体１の表面に放尿することで尿のタンパク質、ブドウ糖を臨床検査可能である。第１の実施形態は、簡易的な尿検査に用いるものであり、第１の実施形態により異常が見つかった場合には、他の方法によって、定量試験を行う。
【００２１】
また、第１の実施形態によれば、尿検査用樹脂成形体は便器又は水洗便所の貯水タンクに設置し、放尿時に固定化された指示薬と尿中過剰成分との反応により変色し、流し水により変色はなくなり、複数回使用でき、樹脂成形体がなくなるまで使用できる。
【００２２】
次に、第２の実施形態について説明する。
図２は、第２の実施形態にかかる、尿検査用樹脂成形体４を示す図である。以下の実施形態で第１の実施形態に係る尿検査用樹脂成形体１と同一の態様を果たす要素には同一の番号を付し、重複した説明は避ける。
【００２３】
尿検査用樹脂成形体４は、第１の実施形態に係る尿検査用樹脂成形体１に、消臭剤５を加えたものである。
【００２４】
消臭剤５としてはナフタレン、ジクロロベンゼン、マレイン酸、アルデヒド化合物などを用いることができる。
【００２５】
また、さらに水溶性樹脂２中に、消臭性香料や香料を加えてもよい。消臭性香料としては、リモネン、レモンオイル、レモングラスオイル等が挙げられる。また、香料としては天然や合成の香料、例えば柑橘の香りのある香料、芳香性の香りのある香料、森林臭香料、バラ様香気香料等が挙げられる。
【００２６】
第２の実施形態に係る尿検査用樹脂成形体４も、第１の実施形態に係る尿検査用樹脂成形体１と同様の使用方法により用いることができる。
【００２７】
第２の実施形態により、第１の実施形態により得られる効果に加えて、消臭効果をもたせることができる。
【実施例】
【００２８】
以下、本発明について実施例および比較例を用いて具体的に説明する。
［実施例１］
クエン酸ナトリウム１７３グラムと炭酸ナトリウム（Ｎａ２ＣＯ３）９０グラムを約６００ｍｌの水に溶かし濾過する。その濾液に水を加えて８５０ｍｌにし、これに１７．３％ＣｕＳＯ４液１００ｍｌを加え、さらに水を加えて全量を１０００ｍｌとしてベネディクト試薬を調整し、褐色瓶に保存する。ベネディクト試薬１００ｍｌ、ポリエチレングリコール２００００  ７２グラムを攪拌混合後、サンドミルで錬肉し紙コップの型に流し込んだ。５０℃の温度で水を蒸発させて台形のブドウ糖用の尿検査用樹脂成形体を得た。
【００２９】
［実施例２］
メチルセルロースの５０％水溶液１００ｍｌとスルホサリチル酸１０グラムを攪拌混合後、サンドミルで錬肉し紙コップの型に流し込んだ。５０℃の温度で水を蒸発させて台形のタンパク質用の尿検査用樹脂成形体を得た。
【００３０】
［実施例３］
実施例２においてレモン調香料１０グラム、ジクロロベンゼン１０グラムを追加添加して同様に処理して消臭性のタンパク質用の尿検査用樹脂成形体を得た。
【００３１】
以上、添付図面を参照しながら、本発明にかかる尿検査用樹脂成形体の好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【図面の簡単な説明】
【００３２】
【図１】第１の実施形態に係る尿検査用樹脂成形体１を示す図。
【図２】第２の実施形態に係る尿検査用樹脂成形体４を示す図。
【符号の説明】
【００３３】
１、４………尿検査用樹脂成形体
２………水溶性樹脂
３………臨床検査薬
５………消臭剤
【図１】
2010019674.tif 000003
【図２】
2010019674.tif 000004